(57)【要約】  本発明の情報処理方法は、利用者を識別する識別情報と、当該利用者に関連する場面と、が関連付けられて撮影された画像情報を取得し（ステップＳ１１）、当該画像情報に基づいて予め登録された識別情報に、当該識別情報にて識別される利用者と同一の利用者に関連する場面を含む画像情報を関連付ける処理を行う（ステップＳ１２）。
2020149036.tif 000002
【特許請求の範囲】
【請求項１】
利用者を識別する識別情報と、当該利用者に関連する場面と、が関連付けられて撮影された画像情報を取得し、当該画像情報に基づいて、予め登録された前記識別情報に、当該識別情報にて識別される利用者と同一の利用者に関連する前記場面を含む前記画像情報を関連付ける処理を行う、
情報処理方法。
【請求項２】
請求項１に記載の情報処理方法であって、
前記識別情報と前記場面とが同一の前記画像情報に含まれており、当該画像情報に基づいて、前記関連付ける処理を行う、
情報処理方法。
【請求項３】
請求項１又は２に記載の情報処理方法であって、
予め登録された前記識別情報に基づいて当該識別情報を撮影可能なよう出力し、
撮影可能なよう出力された前記識別情報と、当該識別情報にて識別される利用者に関連する場面と、が関連付けられた前記画像情報を撮影し、
前記画像情報に基づいて、前記関連付ける処理を行う、
情報処理方法。
【請求項４】
請求項１乃至３のいずれかに記載の情報処理方法であって、
前記画像情報は、さらに、前記関連付ける処理の操作を行う操作者の認証情報を含み、
前記画像情報に含まれる前記操作者の認証情報に基づいて当該操作者を認証し、
認証された前記操作者の前記認証情報が含まれる前記画像情報に基づいて、前記関連付ける処理を行う、
情報処理方法。
【請求項５】
請求項３又は４に記載の情報処理方法であって、
予め登録された前記識別情報と、予め登録された前記関連付ける処理の操作を行う操作者の認証情報と、に基づいて、前記識別情報及び前記認証情報を撮影可能なよう出力し、
撮影可能なよう出力された前記識別情報及び前記認証情報と、当該識別情報にて識別される利用者に関連する場面と、が関連付けられた前記画像情報を撮影し、
前記画像情報に含まれる前記操作者の認証情報に基づいて当該操作者を認証し、
認証された前記操作者の認証情報が含まれる前記画像情報に基づいて、前記関連付ける処理を行う、
情報処理方法。
【請求項６】
請求項１乃至５のいずれかに記載の情報処理方法であって、
前記予め登録された識別情報に、当該識別情報にて識別される利用者の身体的特徴を表す身体情報が関連付けられており、
前記画像情報に映る利用者から当該利用者の前記身体情報を抽出し、当該抽出した身体情報と、予め登録された前記識別情報に関連付けられた前記身体情報と、が一致する場合に、前記画像情報に基づいて前記関連付ける処理を行う、
情報処理方法。
【請求項７】
請求項１乃至６のいずれかに記載の情報処理方法であって、
前記予め登録された識別情報に、当該識別情報にて識別される利用者の身体的特徴を表す身体情報が関連付けられており、
予め登録された前記識別情報に基づいて当該識別情報を撮影可能なよう出力すると共に、当該識別情報に関連付けられた前記身体情報を表示出力し、
撮影可能なよう出力された前記識別情報と、当該識別情報にて識別される利用者に関連する場面と、が関連付けられた前記画像情報を撮影し、
前記画像情報に基づいて、前記関連付ける処理を行う、
情報処理方法。
【請求項８】
情報処理装置に、
利用者を識別する識別情報と、当該利用者に関連する場面と、が関連付けられて撮影された画像情報を取得し、当該画像情報に基づいて、予め登録された前記識別情報に、当該識別情報にて識別される利用者と同一の利用者に関連する前記場面を含む前記画像情報を関連付ける処理、
を実行させるためのプログラム。
【請求項９】
利用者を識別する識別情報と、当該利用者に関連する場面と、が関連付けられて撮影された画像情報を取得する取得部と、前記画像情報に基づいて、予め登録された前記識別情報に、当該識別情報にて識別される利用者と同一の利用者に関連する前記場面を含む前記画像情報を関連付ける処理を行う処理部と、を備えた、
情報処理装置。
【請求項１０】
請求項９に記載の情報処理装置であって、
前記処理部は、前記識別情報と前記場面とが同一の前記画像情報に含まれている当該画像情報に基づいて、前記関連付ける処理を行う、
情報処理装置。
【請求項１１】
予め登録された利用者を識別する識別情報に基づいて当該識別情報を撮影可能なよう出力する第一装置と、
撮影可能なよう出力された前記識別情報と、当該識別情報にて識別される利用者に関連する場面と、が関連付けられた画像情報を撮影する第二装置と、
前記画像情報に基づいて、予め登録された前記識別情報に、当該識別情報にて識別される利用者と同一の利用者に関連する前記場面を含む前記画像情報を関連付ける処理を行う第三装置と、
を備えた情報処理システム。
【請求項１２】
請求項１１に記載の情報処理システムであって、
前記第二装置は、前記識別情報と前記場面とが同一の前記画像情報に含まれるよう当該画像情報を撮影する、
情報処理システム。
【請求項１３】
請求項１１又は１２に記載の情報処理システムであって、
前記第三装置は、前記画像情報に含まれる前記関連付ける処理の操作を行う操作者の認証情報に基づいて当該操作者を認証し、認証された前記操作者の前記認証情報が含まれる前記画像情報に基づいて、前記関連付ける処理を行う、
情報処理システム。
【請求項１４】
請求項１１又は１２に記載の情報処理システムであって、
前記第一装置は、予め登録された利用者を識別する識別情報と、予め登録された前記関連付ける処理の操作を行う操作者の認証情報と、に基づいて、前記識別情報及び前記認証情報を撮影可能なよう出力し、
前記第二装置は、撮影可能なよう出力された前記識別情報及び前記認証情報と、当該識別情報にて識別される利用者に関連する場面と、が関連付けられた前記画像情報を撮影し、
前記第三装置は、前記画像情報に含まれる前記操作者の認証情報に基づいて当該操作者を認証し、認証された前記操作者の認証情報が含まれる前記画像情報に基づいて、前記関連付ける処理を行う、
情報処理システム。
【請求項１５】
請求項１１乃至１４のいずれかに記載の情報処理システムであって、
前記予め登録された識別情報に、当該識別情報にて識別される利用者の身体的特徴を表す身体情報が関連付けられており、
前記第三装置は、前記画像情報に映る利用者から当該利用者の前記身体情報を抽出し、当該抽出した身体情報と、予め登録された前記識別情報に関連付けられた前記身体情報と、が一致する場合に、前記画像情報に基づいて前記関連付ける処理を行う、
情報処理システム。
【請求項１６】
請求項１１乃至１５のいずれかに記載の情報処理システムであって、
前記予め登録された識別情報に、当該識別情報にて識別される利用者の身体的特徴を表す身体情報が関連付けられており、
前記第一装置は、予め登録された前記識別情報に基づいて当該識別情報を撮影可能なよう出力すると共に、当該識別情報に関連付けられた前記身体情報を表示出力する、
情報処理システム。
【発明の詳細な説明】
【技術分野】
【０００１】
本発明は、画像を管理する情報処理方法、プログラム、情報処理装置、情報処理システムに関する。
【背景技術】
【０００２】
近年、スマートフォンやタブレットなどの携帯端末を用いて、動画像などの画像を撮影することが容易となっている。これに伴い、撮影した画像を管理する場面が増えている。特に、画像を管理する管理システムを操作する操作者が、複数の利用者に関する画像を管理することがある。一例として、特許文献１に記載のように、ショップにおいて、店員がユーザの携帯電話機内の動画データを管理サーバに登録する場合がある。また、別の例では、医療・介護分野において、看護者や介護者が、患者や要介護者の健康状態をテキストデータと運動動画によって管理する場合がある。また、他の例として、損害保険会社において、従業員が、管理システムに登録した車を保持する利用者が事故を起こした場合、現場の様子などを撮影した画像を登録情報と紐づけて管理する場合がある。【０００３】
ここで、管理システムを操作する操作者が、管理対象となる複数の利用者に関する画像を登録する際には、例えば、図１に示すように以下の操作を行うこととなる。まず、操作者は、パソコンなどの情報処理装置から各利用者に関する情報である利用者情報を管理システムへ登録する（Ｓ１０１）。その後、操作者は、スマートフォンやタブレットなどの携帯端末で各利用者の動画を撮影し（Ｓ１０２）、かかる動画をあらかじめ登録した利用者情報に紐づけ管理システムにアップロードする（Ｓ１０３）。この場合、操作者は、情報処理装置から管理システムへ一度ログインして利用者情報を登録した後に、携帯端末上の動画撮影用アプリケーション（アプリ）から管理システムへ再びログインして、該当する利用者を選択する。これにより、動画と利用者との紐づけを行って管理することとなる。
【先行技術文献】
【特許文献】
【０００４】
【特許文献１】実用新案登録第３１４９７８６号公報
【発明の概要】
【発明が解決しようとする課題】
【０００５】
しかしながら、上述したような操作者による画像登録の一連の作業においては、以下のような問題が生じる。まず、操作者は、撮影した画像に紐付ける利用者を選択することとなるが、利用者の選択を誤らないよう注意する負担が生じうる。特に、選択可能な利用者が増えるほど、操作者に多大な負担が生じうる。また、操作者は、利用者情報の登録を行うために情報処理装置から管理システムへログインした後に、画像を登録するために当該画像を撮影した各携帯端末からも管理システムへログイン処理を行う必要性がある。このため、その都度、パスワードを何度も入力するといった操作の負担が生じうる。特に、情報処理装置に不慣れな操作者にとっては、装置の相違からユーザインタフェースが変わってしまうことでより一層の負担が生じうる。【０００６】
このため、本発明の目的は、上述した課題である、画像を管理する操作者に負担が生じる、という問題を解決することができる情報処理方法、プログラム、情報処理装置、情報処理システムを提供することにある。
【課題を解決するための手段】
【０００７】
本発明の一形態である情報処理方法は、
利用者を識別する識別情報と、当該利用者に関連する場面と、が関連付けられて撮影された画像情報を取得し、当該画像情報に基づいて、予め登録された前記識別情報に、当該識別情報にて識別される利用者と同一の利用者に関連する前記場面を含む前記画像情報を関連付ける処理を行う、
という構成をとる。【０００８】
また、本発明の一形態であるプログラムは、
情報処理装置に、
利用者を識別する識別情報と、当該利用者に関連する場面と、が関連付けられて撮影された画像情報を取得し、当該画像情報に基づいて、予め登録された前記識別情報に、当該識別情報にて識別される利用者と同一の利用者に関連する前記場面を含む前記画像情報を関連付ける処理、
を実行させる、
という構成をとる。【０００９】
また、本発明の一形態である情報処理装置は、
利用者を識別する識別情報と、当該利用者に関連する場面と、が関連付けられて撮影された画像情報を取得する取得部と、前記画像情報に基づいて、予め登録された前記識別情報に、当該識別情報にて識別される利用者と同一の利用者に関連する前記場面を含む前記画像情報を関連付ける処理を行う処理部と、を備えた、
という構成をとる。【００１０】
また、本発明の一形態である情報処理システムは、
予め登録された利用者を識別する識別情報に基づいて当該識別情報を撮影可能なよう出力する第一装置と、
撮影可能なよう出力された前記識別情報と、当該識別情報にて識別される利用者に関連する場面と、が関連付けられた画像情報を撮影する第二装置と、
前記画像情報に基づいて、予め登録された前記識別情報に、当該識別情報にて識別される利用者と同一の利用者に関連する前記場面を含む前記画像情報を関連付ける処理を行う第三装置と、
を備えた、
という構成をとる。
【発明の効果】
【００１１】
本発明は、以上のように構成されることにより、画像を管理する操作者の負担を軽減することができる。
【図面の簡単な説明】
【００１２】
【図１】複数の利用者に関連する画像を登録するときの様子を説明するための図である。
【図２】本発明の実施形態１における画像を登録する情報処理システムを利用する場面を説明するための図である。
【図３】本発明の実施形態１における情報処理システムの全体構成を示すブロック図である。
【図４】図３に開示した情報処理システムの動作を説明するための図である。
【図５】図３に開示した情報処理システムの動作を示すフローチャートである。
【図６】図３に開示した情報処理システムの動作の一部を示す図である。
【図７】図６に示す動作で生成されたコードの一例を示す図である。
【図８】図３に開示した情報処理システムの動作の一部を示す図である。
【図９】図３に開示した情報処理システムの構成及び動作の変形例を示す図である。
【図１０】図３に開示した情報処理システムの構成及び動作の変形例を示す図である。
【図１１】図３に開示した情報処理システムの構成及び動作の変形例を示す図である。
【図１２】図３に開示した情報処理システムの構成及び動作の変形例を示す図である。
【図１３】本発明の実施形態２における情報処理方法を示すフローチャートである。
【図１４】本発明の実施形態２における情報処理装置の構成を示すブロック図である。
【図１５】本発明の実施形態２における情報処理システムの構成を示すブロック図である。
【発明を実施するための形態】
【００１３】
＜実施形態１＞
本発明の第１の実施形態を、図２乃至図１２を参照して説明する。図２乃至図３は、情報処理システムの構成を説明するための図である。図４乃至図８は、情報処理システムの動作を説明するための図である。図９乃至図１２は、情報処理システムの変形例を説明するための図である。
【００１４】
本発明における情報処理システムは、動画などの画像を利用者毎に紐付けて登録するためのものである。一例として、本実施形態では、医療・介護分野において、患者や要介護者の健康状態を、運動動画によって管理する場合を説明する。つまり、操作者であるユーザが、患者や要介護者といった利用者の動画などの画像を撮影し、当該撮影された利用者の情報に動画を紐づけて登録する場合を説明する。
【００１５】
具体的には、図２に示すように、まずデイサービス事業者側では、看護者や介護者であるユーザは、事前に、遠隔評価システムに対して、患者や要介護者といった利用者の情報や、ユーザ自身のログイン情報を登録しておく。そして、ユーザは、スマートフォンなどの携帯端末を用いて、患者や要介護者といった利用者の運動動画を撮影して、かかる運動動画を遠隔評価システムにアップロードする。このとき、ユーザは、遠隔評価システムに対してログインすると共に、運動動画を該当する利用者の情報に紐付けて登録する。これにより、遠隔評価システムには、利用者毎に当該利用者の画像が登録されることとなる。
【００１６】
このように利用者毎に当該利用者の画像が登録されることで、遠隔の医師・理学療法士・作業療法士などのセラピストが、各利用者の画像を閲覧することができる。そして、セラピストは、閲覧した画像に基づいて、利用者毎に機能訓練などの指導内容を作成して、遠隔評価システムに登録する。これにより、デイサービス側のユーザは、登録された指導内容に応じて適切な機能訓練などを行うことができる。
【００１７】
以下、上述したような場面で利用される情報処理システムの構成の一例を説明する。なお、以下で説明する管理システム１０は、図２における遠隔評価システムに相当し、情報処理装置２０と携帯端末３０とは、デイサービス側で利用される装置に相当する。
【００１８】
図３に示すように、本実施形態における情報処理システムは、ネットワークＮを介して接続された、管理システム１０と、情報処理装置２０と、携帯端末３０と、を備えている。管理システム１０は、利用者Ｐに関する画像を登録して管理する装置であり、情報処理装置２０と携帯端末３０とは、画像の登録操作を行う操作者であるユーザ（図示せず）によって操作される装置である。以下、各装置の構成と動作について詳述する。
【００１９】
まず、上記情報処理装置２０（第一装置）は、ユーザが操作するパーソナルコンピュータなどの情報処理装置である。情報処理装置２０は、ディスプレイやプリンタなどの出力装置２１と、マウスやキーボードなどの入力装置２２を備えている。なお、以下に説明する情報処理装置２０の機能は、情報処理装置２０の演算装置が実行するプログラムにより実現される。
【００２０】
そして、ユーザは、情報処理装置２０を操作して、ネットワークＮを介して管理システム１０にアクセスし、入力装置２２からユーザ自身のユーザ情報であるログイン情報を入力して、管理システムにログインする（図４及び図５のステップＳ１）。なお、ユーザのログイン情報は、例えば、ユーザを認証するために必要なユーザＩＤとパスワードからなる認証情報であり、図６の符号１３ａに示すように、管理システム１０の記憶装置であるデータベース１３に予め記憶されている。
【００２１】
また、情報処理装置２０から管理システム２０にログインしたユーザは、入力装置２２を用いて利用者Ｐ毎の利用者情報を入力して、管理システムに登録する（図４及び図５のステップＳ２）。なお、利用者Ｐの利用者情報は、利用者Ｐを識別するための識別情報である利用者ＩＤに加えて、利用者Ｐの名前や生年月日を含み、さらには、利用者情報を登録したユーザのユーザＩＤも含む。そして、利用者情報は、図６の符号１３ｂに示すように、管理システム１０の記憶装置であるデータベース１３に記憶される。なお、以下では、主に利用者ＩＤを利用者Ｐの識別情報として用いる場合を例示するが、識別情報は利用者Ｐに固有な情報であればいかなる情報であってもよい。例えば、利用者Ｐの識別情報としては、利用者Ｐの名前を用いてもよく、利用者Ｐの顔画像から抽出できる顔特徴量などの利用者を撮影した画像から抽出できる身体的特徴を表す身体情報を用いてもよい。なお、利用者情報１３ｂは、図６に示した情報に限定されず、利用者Ｐの顔画像などいかなる情報が含まれてもよい。
【００２２】
ここで、上記管理システム１０（第三装置）は、演算装置と記憶装置とを備えた１台又は複数台の情報処理装置にて構成されている。そして、管理システム１０は、図３に示すように、演算装置がプログラムを実行することで構築されたコード生成装置１１と紐づけ装置１２とを備えている。また、管理システム１０は、記憶装置に形成されたデータベース１３を備えており、上述したように、ユーザを認証するためのログイン情報１３ａと利用者Ｐ毎の利用者情報１３ｂとを記憶している。なお、データベース１３には、後述するように、利用者Ｐに関連する動画５０が記憶されることとなる。
【００２３】
そして、上記コード生成装置１１は、データベース１３に記憶されたログイン情報１３ａ及び利用者情報１３ｂに基づいて、利用者Ｐ毎にコードＣを発行する（図４及び図５のステップＳ３）。このとき、コード生成部１１は、例えば、ユーザから情報処理装置２０を介して、利用者Ｐの指定を伴うコード発行依頼を受けて、かかる指定された利用者Ｐのコードを発行する。具体的に、コード生成装置１１は、利用者Ｐの利用者ＩＤと、かかる利用者Ｐに関連付けられたユーザのユーザＩＤ及びパスワードと、を暗号化して含むマトリックス型二次元コードであるＱＲコードを生成する。一例として、図６に示す利用者情報１３ｂの利用者ＩＤ「ａｂｃ」のコードＣを発行する場合は、かかる利用者Ｐの利用者ＩＤ「ａｂｃ」の情報と、かかる利用者Ｐを登録したユーザＩＤ「００００１」のユーザＩＤ「００００１」及びパスワード「＊＊＊＊＊＊」情報と、を含むコードＣを生成する。そして、コード生成装置１１は、生成したコードＣを情報処理装置２０の出力装置２１から出力する。このとき、コード生成装置１１は、図７に示すように、コード自体Ｃ１、利用者Ｐの利用者ＩＤ及び名前Ｃ２、さらには、利用者Ｐの顔画像Ｃ３、を含めたコードＣを生成して、出力装置２１から出力する。なお、利用者Ｐの顔画像Ｃ３は、利用者情報１３ｂに予め含まれて登録されていることとする。
【００２４】
上述したように生成されたコードＣは、情報処理装置２０の出力装置２１によって、ディスプレイに表示出力されると共に、紙媒体に印刷されて出力される。そして、印刷出力されたコードＣは、ユーザによって該当する利用者Ｐに手渡される。例えば、ユーザは、コードＣに含まれる名前や顔画像を参照して、該当する利用者Ｐ本人にコードＣを手渡す。このとき、図７に示すように、コードＣに利用者Ｐの顔画像Ｃ３を含めることで、ユーザは、コードＣの顔画像Ｃ３と利用者Ｐ本人の顔とを確認して当該コードＣを手渡すことができ、後に誤った利用者Ｐを撮影してしまうことを抑制することができる。なお、後述するように、利用者ＰはコードＣを所持して動画撮影されるため、コードＣは、利用者ＩＤやユーザＩＤ及びパスワードが撮影可能なよう出力されたこととなる。
【００２５】
ここで、上記携帯端末３０（第二装置）は、演算装置と記憶装置とを備えたスマートフォンなどの情報処理装置にて構成されている。そして、携帯端末３０は、図３に示すように、演算装置がプログラムを実行することで構築された読取装置３１と動画撮影用アプリケーション３２とを備えている。
【００２６】
そして、上述したようにユーザがコードＣを利用者Ｐに手渡し、利用者Ｐは、コードＣが動画に映るよう所持した状態で撮影用の動作を行う（図４及び図５のステップＳ４）。ユーザは、携帯端末３０の動画撮影用アプリケーション３２を起動して、コードＣを所持した利用者Ｐの動画５０を撮影し、かかる動画５０を携帯端末３０に装備された記憶装置に記憶する（図４及び図５のステップＳ５，Ｓ６）。これにより、本実施形態では、利用者Ｐ自身が映る場面とコードＣとが、同一の映像内に含まれる動画５０が撮影されることとなる。なお、本実施形態では、携帯端末３０にて撮影する画像が動画である場合を例示するが、撮影する画像は静止画であってもよく、いかなる画像であってもよい。また、本実施形態では、動画５０に利用者Ｐが映る場合を例示しているが、必ずしも利用者Ｐが映っていることに限定されず、利用者Ｐが関連する場面が映っていればよい。例えば、動画５０は、利用者Ｐが所持する車両に搭載のカメラにて撮影されたものであってもよい。また、動画５０には、同一の映像内に必ずしもコードＣが撮影されていることに限定されず、動画５０とコードＣとが別々の画像として撮影され、これら画像が関連付けられていてもよい。なお、動画５０とコードＣとが別々の画像として撮影される例については後述する。
【００２７】
そして、携帯端末３０は、上述したようにコードＣを含む動画５０を撮影しつつ、撮影中に読取装置３１がコードＣを検出して、当該コードＣの内容を読み取る。つまり、読取装置３１が、動画５０内のコードＣ（コード自体Ｃ１）から、ユーザのログイン情報であるログインＩＤ及びパスワードと、利用者Ｐの利用者ＩＤと、を読み取る。そして、読取装置３１は、管理システム１０にアクセスし、読み取ったログイン情報でログインを要求すると共に、読み取った利用者ＩＤの検索を要求するといった紐づけ要求を行う（図４及び図５のステップＳ７）。
【００２８】
すると、管理システム１０の紐づけ装置１２は、携帯端末３０からの紐づけ要求に応じて、データベース１３に登録されている情報に基づいて、ログイン処理を行い、利用者ＩＤの検索を行う。ここで、携帯端末３０からは、紐づけ要求の際に、図６に示す利用者ＩＤ「ａｂｃ」の利用者ＩＤと、かかる利用者を登録したユーザＩＤ「００００１」のログイン情報と、が送信されたとする。この場合、紐づけ装置１２は、データベース１３に登録されているログイン情報１３ａと利用者情報１３ｂとを調べ、ユーザＩＤ「００００１」のログイン処理つまり認証処理が成功し、当該ユーザＩＤ「００００１」に登録された利用者ＩＤ「ａｂｃ」が存在している場合には、かかる利用者ＩＤに動画５０を関連付けるよう設定する。そして、紐づけ装置１２は、携帯端末３０に対して動画５０をアップロードするよう指示する。
【００２９】
その後、携帯端末３０の動画撮影用アプリケーション３２は、動画５０の撮影終了後に、かかる動画５０を管理システム１０に対してアップロードする（図４及び図５のステップＳ８）。このとき、携帯端末３０からアップロードされる動画５０は、上述したように管理システム１０の紐づけ装置１２にて利用者ＩＤ「ａｂｃ」に紐づくよう設定されているため、図８に示すように、管理システム１０のデータベース１３内で利用者ＩＤ「ａｂｃ」に関連付けられた状態で記憶されることとなる。このようにして、動画５０は、利用者ＩＤ「ａｂｃ」の利用者に関する場面を表す映像としてデータベース１３に登録され、権限を有する者が閲覧できるよう管理システム１０にて管理される。
【００３０】
携帯端末３０の動画撮影用アプリケーション３２は、動画５０のアップロード完了後、個人情報保護の観点から、かかる動画５０を携帯端末３０内から削除する（図５のステップＳ９）。なお、携帯端末３０は、上述した紐づけ装置１２による紐づけに失敗した場合、つまり、上述したログイン処理や利用者ＩＤの検索に失敗した場合には、動画５０のアップロードは行わず、かかる動画５０を携帯端末３０内から削除する。
【００３１】
以上のように、本実施形態では、ユーザのログイン情報と利用者ＩＤとを含むコードＣを発行し、かかるコードＣを利用者Ｐに持たせて動画５０を撮影することで、当該動画５０から自動的にユーザのログイン情報と利用者ＩＤとを抽出することができる。このため、携帯端末３０や管理システム１０では、ユーザのログイン処理を自動で行うことができると共に、動画５０に関連する利用者Ｐを自動的に特定することができ、動画５０を適切に利用者Ｐに関連付けて登録することができる。その結果、動画５０を登録する操作を行うユーザの負担、つまり、ログイン処理の負担や動画５０を利用者Ｐに紐付ける処理の負担、を軽減することができる。
【００３２】
＜変形例＞
次に、上述した情報処理システムの構成及び動作の変形例を説明する。上記では、動画５０を撮影中に、当該動画５０内のコードＣをリアルタイムで抽出して管理システム１０に紐づけ要求を行っているが、動画５０の撮影完了後に当該動画５０の紐づけ要求を行ってもよい。例えば、図９のステップＳ７，８に示すように、携帯端末３０は、動画５０の撮影完了後に、読取装置３１にて動画５０内のコードＣを読み取り、管理システム１０に対して動画５０の紐づけ要求を行うと共に、動画５０のアップロードを行ってもよい。
【００３３】
また、上記では、動画５０内にコードＣが映るよう撮影したが、動画５０とコードＣとを別々の画像として撮影してもよい。例えば、図１０に示すように、携帯端末３０は、動画撮影用アプリケーション３２にて、動画５０とコードＣとを別々に撮影する。そして、携帯端末３０は、読取装置３１にてコードＣのみを撮影した画像から上述同様に利用者ＩＤやログイン情報を抽出して、管理システム１０に対して紐づけ要求を行う。すると、管理システム１０は、ログイン処理を行うと共に、利用者Ｐを特定し、携帯端末３０に動画をアップロードするよう指示する。これに応じて携帯端末３０が動画５０を管理システム１０にアップロードすることで、当該管理システム１０は、コードＣに含まれた利用者ＩＤと関連付けられた動画５０として受け取り、かかる動画５０を特定した利用者ＩＤに紐付けて登録することができる。例えば、管理システム１０は、同一の携帯端末３０から一定の時間内に送信されたコードＣと動画５０を紐づけてもよく、他の方法で紐づけてもよい。
【００３４】
また、図１１に示すように、予めデータベース１３に登録されたユーザのログイン情報１３ａ（ユーザＩＤ及びパスワード）に、ログインの時間や回数を制限するためのワンタイムパスワードを追加登録し、かかるワンタイムパスワードをコードＣに含めて、当該コードＣを生成してもよい。これにより、管理システム１０は、生成されたコードＣを読み取って要求された紐づけ要求に含まれるログイン要求に対して、時間や回数を制限することができ、セキュリティの向上を図ることができる。
【００３５】
また、図１２の例では、データベース１３内の利用者情報１３ｂに、事前に利用者Ｐの顔情報（顔特徴量）を登録しておく。また、携帯端末３０の動画撮影用アプリケーション３２は、動画５０に利用者Ｐの顔画像が含まれるよう撮影する。そして、管理システム１０は、さらに認証装置１４を備え、かかる認証装置１４は、動画５０に映る利用者Ｐの顔画像と、利用者情報１３ｂに登録された顔情報と、が一致するか否かの顔認証を行う。管理システム１０は、顔認証が成功した場合に、上述同様に、コードＣに含まれる情報に基づいて動画５０の紐づけ処理を行う。なお、動画５０に映る利用者Ｐの顔に限らず、当該利用者Ｐの他の身体的特徴を表す身体情報を用いて認証を行ってもよい。
【００３６】
なお、上記では、コードＣにユーザのログイン情報（ユーザＩＤ及びパスワード）を含める場合を例示しているが、コードＣにユーザのログイン情報は必ずしも含めなくてもよい。つまり、コードＣには、利用者Ｐの利用者ＩＤといった識別情報のみが含まれていてもよい。このようにしても、管理システム１０の紐づけ装置１２は、動画５０と利用者Ｐとを紐付けてデータベース１３に登録することができる。
【００３７】
また、上記では、利用者ＩＤを含めたコードＣを発行しているが、コードＣは発行しなくてもよい。この場合、利用者Ｐの識別情報として、動画５０などの画像に映る利用者Ｐの情報を用いる。例えば、データベース１３の利用者情報１３ｂには、予め利用者の顔と紅潮量などの身体的特徴を表す身体情報を識別情報として登録しておく。そして、携帯端末３０は、動画５０に映る利用者Ｐの顔特徴量などの身体情報を当該利用者Ｐの識別情報として抽出して、管理システム１０に紐づけ要求する。これにより、管理システム１０は、データベース１３の利用者情報１３ｂから、動画５０に映る利用者Ｐの顔特徴量と一致する利用者Ｐを特定し、かかる利用者Ｐに動画５０を紐付けてデータベース１３に登録する。
【００３８】
＜実施形態２＞
次に、本発明の第２の実施形態を、図１３乃至図１５を参照して説明する。図１３は、本実施形態における情報処理方法を示すフローチャートである。図１４は、本実施形態における情報処理装置の構成を示すブロック図である。図１５は、本実施形態における情報処理システムの構成を示すブロック図である。なお、本実施形態では、実施形態１で説明した情報処理システムの構成及び動作の概略を示している。
【００３９】
図１３に示すように、本実施形態おける情報処理方法は、
利用者を識別する識別情報と、当該利用者に関連する場面と、が関連付けられて撮影された画像情報を取得し（ステップＳ１１）、当該画像情報に基づいて、予め登録された前記識別情報に、当該識別情報にて識別される利用者と同一の利用者に関連する前記場面を含む前記画像情報を関連付ける処理を行う（ステップＳ１２）、という構成を有する。
【００４０】
そして、上記情報処理方法による処理は、情報処理装置がプログラムを実行することで、当該情報処理装置によって実行され実現される。
【００４１】
また、上記情報処理方法は、図１４に示すように、
利用者を識別する識別情報と、当該利用者に関連する場面と、が関連付けられて撮影された画像情報を取得する取得部１０１と、当該画像情報に基づいて、予め登録された前記識別情報に、当該識別情報にて識別される利用者と同一の利用者に関連する前記場面を含む前記画像情報を関連付ける処理を行う処理部１０２と、を備えた情報処理装置１００、
によっても実現される。
【００４２】
さらに、上記情報処理方法は、図１５に示すように、
予め登録された利用者を識別する識別情報に基づいて当該識別情報を撮影可能なよう出力する第一装置２０１と、
撮影可能なよう出力された前記識別情報と、当該識別情報にて識別される利用者に関連する場面と、が関連付けられた画像情報を撮影する第二装置２０２と、
前記画像情報に基づいて、予め登録された前記識別情報に、当該識別情報にて識別される利用者と同一の利用者に関連する前記場面を含む前記画像情報を関連付ける処理を行う第三装置２０３と、
を備えた情報処理システム、
によっても実現される。
【００４３】
上記発明によると、利用者を識別する識別情報と、当該利用者に関連する場面と、が関連付けられて撮影された画像情報から、利用者の識別情報を自動的に特定できる。このため、特定した利用者に、当該利用者に関連する場面を含む画像情報を自動的に関連付けることができる。その結果、画像と利用者とを関連付ける作業を行う作業者の負担を軽減することができる。
【００４４】
＜付記＞
上記実施形態の一部又は全部は、以下の付記のようにも記載されうる。以下、本発明における情報処理方法、プログラム、情報処理装置、情報処理システムの構成の概略を説明する。但し、本発明は、以下の構成に限定されない。
【００４５】
（付記１）
利用者を識別する識別情報と、当該利用者に関連する場面と、が関連付けられて撮影された画像情報を取得し、当該画像情報に基づいて、予め登録された前記識別情報に、当該識別情報にて識別される利用者と同一の利用者に関連する前記場面を含む前記画像情報を関連付ける処理を行う、
情報処理方法。
【００４６】
（付記２）
付記１に記載の情報処理方法であって、
前記識別情報と前記場面とが同一の前記画像情報に含まれており、当該画像情報に基づいて、前記関連付ける処理を行う、
情報処理方法。
【００４７】
（付記３）
付記１又は２に記載の情報処理方法であって、
予め登録された前記識別情報に基づいて当該識別情報を撮影可能なよう出力し、
撮影可能なよう出力された前記識別情報と、当該識別情報にて識別される利用者に関連する場面と、が関連付けられた前記画像情報を撮影し、
前記画像情報に基づいて、前記関連付ける処理を行う、
情報処理方法。
【００４８】
（付記４）
付記１乃至３のいずれかに記載の情報処理方法であって、
前記画像情報は、さらに、前記関連付ける処理の操作を行う操作者の認証情報を含み、
前記画像情報に含まれる前記操作者の認証情報に基づいて当該操作者を認証し、
認証された前記操作者の前記認証情報が含まれる前記画像情報に基づいて、前記関連付ける処理を行う、
情報処理方法。
【００４９】
（付記５）
付記３又は４に記載の情報処理方法であって、
予め登録された前記識別情報と、予め登録された前記関連付ける処理の操作を行う操作者の認証情報と、に基づいて、前記識別情報及び前記認証情報を撮影可能なよう出力し、
撮影可能なよう出力された前記識別情報及び前記認証情報と、当該識別情報にて識別される利用者に関連する場面と、が関連付けられた前記画像情報を撮影し、
前記画像情報に含まれる前記操作者の認証情報に基づいて当該操作者を認証し、
認証された前記操作者の認証情報が含まれる前記画像情報に基づいて、前記関連付ける処理を行う、
情報処理方法。
【００５０】
（付記６）
付記１乃至５のいずれかに記載の情報処理方法であって、
前記予め登録された識別情報に、当該識別情報にて識別される利用者の身体的特徴を表す身体情報が関連付けられており、
前記画像情報に映る利用者から当該利用者の前記身体情報を抽出し、当該抽出した身体情報と、予め登録された前記識別情報に関連付けられた前記身体情報と、が一致する場合に、前記画像情報に基づいて前記関連付ける処理を行う、
情報処理方法。
【００５１】
（付記７）
付記１乃至６のいずれかに記載の情報処理方法であって、
前記予め登録された識別情報に、当該識別情報にて識別される利用者の身体的特徴を表す身体情報が関連付けられており、
予め登録された前記識別情報に基づいて当該識別情報を撮影可能なよう出力すると共に、当該識別情報に関連付けられた前記身体情報を表示出力し、
撮影可能なよう出力された前記識別情報と、当該識別情報にて識別される利用者に関連する場面と、が関連付けられた前記画像情報を撮影し、
前記画像情報に基づいて、前記関連付ける処理を行う、
情報処理方法。
【００５２】
（付記８）
情報処理装置に、
利用者を識別する識別情報と、当該利用者に関連する場面と、が関連付けられて撮影された画像情報を取得し、当該画像情報に基づいて、予め登録された前記識別情報に、当該識別情報にて識別される利用者と同一の利用者に関連する前記場面を含む前記画像情報を関連付ける処理、
を実行させるためのプログラム。
【００５３】
（付記９）
利用者を識別する識別情報と、当該利用者に関連する場面と、が関連付けられて撮影された画像情報を取得する取得部と、当該画像情報に基づいて、予め登録された前記識別情報に、当該識別情報にて識別される利用者と同一の利用者に関連する前記場面を含む前記画像情報を関連付ける処理を行う処理部と、を備えた、
情報処理装置。
【００５４】
（付記９．１）
付記９に記載の情報処理装置であって、
前記処理部は、前記識別情報と前記場面とが同一の前記画像情報に含まれている当該画像情報に基づいて、前記関連付ける処理を行う、
情報処理装置。
【００５５】
（付記１０）
予め登録された利用者を識別する識別情報に基づいて当該識別情報を撮影可能なよう出力する第一装置と、
撮影可能なよう出力された前記識別情報と、当該識別情報にて識別される利用者に関連する場面と、が関連付けられた画像情報を撮影する第二装置と、
前記画像情報に基づいて、予め登録された前記識別情報に、当該識別情報にて識別される利用者と同一の利用者に関連する前記場面を含む前記画像情報を関連付ける処理を行う第三装置と、
を備えた情報処理システム。
【００５６】
（付記１０．１）
付記１０に記載の情報処理システムであって、
前記第二装置は、前記識別情報と前記場面とが同一の前記画像情報に含まれるよう当該画像情報を撮影する、
情報処理システム。
【００５７】
（付記１０．２）
付記１０又は１０．１に記載の情報処理システムであって、
前記第三装置は、前記画像情報に含まれる前記関連付ける処理の操作を行う操作者の認証情報に基づいて当該操作者を認証し、認証された前記操作者の前記認証情報が含まれる前記画像情報に基づいて、前記関連付ける処理を行う、
情報処理システム。
【００５８】
（付記１０．３）
付記１０又は１０．１に記載の情報処理システムであって、
前記第一装置は、予め登録された利用者を識別する識別情報と、予め登録された前記関連付ける処理の操作を行う操作者の認証情報と、に基づいて、前記識別情報及び前記認証情報を撮影可能なよう出力し、
前記第二装置は、撮影可能なよう出力された前記識別情報及び前記認証情報と、当該識別情報にて識別される利用者に関連する場面と、が関連付けられた前記画像情報を撮影し、
前記第三装置は、前記画像情報に含まれる前記操作者の認証情報に基づいて当該操作者を認証し、認証された前記操作者の認証情報が含まれる前記画像情報に基づいて、前記関連付ける処理を行う、
情報処理システム。
【００５９】
（付記１０．４）
付記１０乃至１０．３のいずれかに記載の情報処理システムであって、
前記予め登録された識別情報に、当該識別情報にて識別される利用者の身体的特徴を表す身体情報が関連付けられており、
前記第三装置は、前記画像情報に映る利用者から当該利用者の前記身体情報を抽出し、当該抽出した身体情報と、予め登録された前記識別情報に関連付けられた前記身体情報と、が一致する場合に、前記画像情報に基づいて前記関連付ける処理を行う、
情報処理システム。
【００６０】
（付記１０．５）
付記１０乃至１０．４のいずれかに記載の情報処理システムであって、
前記予め登録された識別情報に、当該識別情報にて識別される利用者の身体的特徴を表す身体情報が関連付けられており、
前記第一装置は、予め登録された前記識別情報に基づいて当該識別情報を撮影可能なよう出力すると共に、当該識別情報に関連付けられた前記身体情報を表示出力する、
情報処理システム。
【００６１】
なお、上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６２】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【００６３】
なお、本発明は、日本国にて２０１９年１月１８日に特許出願された特願２０１９−００６７４６の特許出願に基づく優先権主張の利益を享受するものであり、当該特許出願に記載された内容は、全て本明細書に含まれるものとする。
【符号の説明】
【００６４】
１０  管理システム
１１  コード生成装置
１２  紐づけ装置
１３  データベース
１３ａ  ログイン情報
１３ｂ  利用者情報
１４  認証装置
２０  情報処理装置
２１  出力装置
２２  入力装置
３０  携帯端末
３１  読取装置
３２  動画撮影用アプリケーション
５０  動画
Ｃ  コード
Ｐ  利用者
１００  情報処理装置
１０１  取得部
１０２  処理部
２００  情報処理システム
２０１  第一装置
２０２  第二装置
２０３  第三装置
【図１】
2020149036.tif 000003
【図２】
2020149036.tif 000004
【図３】
2020149036.tif 000005
【図４】
2020149036.tif 000006
【図５】
2020149036.tif 000007
【図６】
2020149036.tif 000008
【図７】
2020149036.tif 000009
【図８】
2020149036.tif 000010
【図９】
2020149036.tif 000011
【図１０】
2020149036.tif 000012
【図１１】
2020149036.tif 000013
【図１２】
2020149036.tif 000014
【図１３】
2020149036.tif 000015
【図１４】
2020149036.tif 000016
【図１５】
2020149036.tif 000017
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
利用者を識別する識別情報と、当該利用者に関連する場面と、が関連付けられて撮影された画像情報を取得し、当該画像情報に基づいて、予め登録された前記識別情報に、当該識別情報にて識別される利用者と同一の利用者に関連する前記場面を含む前記画像情報を関連付ける処理を行う、
情報処理方法。
【請求項２】
請求項１に記載の情報処理方法であって、
前記識別情報と前記場面とが同一の前記画像情報に含まれており、当該画像情報に基づいて、前記関連付ける処理を行う、
情報処理方法。
【請求項３】
請求項１又は２に記載の情報処理方法であって、
予め登録された前記識別情報に基づいて当該識別情報を撮影可能なよう出力し、
撮影可能なよう出力された前記識別情報と、当該識別情報にて識別される利用者に関連する場面と、が関連付けられた前記画像情報を撮影し、
前記画像情報に基づいて、前記関連付ける処理を行う、
情報処理方法。
【請求項４】
請求項１乃至３のいずれかに記載の情報処理方法であって、
前記画像情報は、さらに、前記関連付ける処理の操作を行う操作者の認証情報を含み、
前記画像情報に含まれる前記操作者の認証情報に基づいて当該操作者を認証し、
認証された前記操作者の前記認証情報が含まれる前記画像情報に基づいて、前記関連付ける処理を行う、
情報処理方法。
【請求項５】
請求項３又は４に記載の情報処理方法であって、
予め登録された前記識別情報と、予め登録された前記関連付ける処理の操作を行う操作者の認証情報と、に基づいて、前記識別情報及び前記認証情報を撮影可能なよう出力し、
撮影可能なよう出力された前記識別情報及び前記認証情報と、当該識別情報にて識別される利用者に関連する場面と、が関連付けられた前記画像情報を撮影し、
前記画像情報に含まれる前記操作者の認証情報に基づいて当該操作者を認証し、
認証された前記操作者の認証情報が含まれる前記画像情報に基づいて、前記関連付ける処理を行う、
情報処理方法。
【請求項６】
請求項１乃至５のいずれかに記載の情報処理方法であって、
前記予め登録された識別情報に、当該識別情報にて識別される利用者の身体的特徴を表す身体情報が関連付けられており、
前記画像情報に映る利用者から当該利用者の前記身体情報を抽出し、当該抽出した身体情報と、予め登録された前記識別情報に関連付けられた前記身体情報と、が一致する場合に、前記画像情報に基づいて前記関連付ける処理を行う、
情報処理方法。
【請求項７】
請求項１乃至６のいずれかに記載の情報処理方法であって、
前記予め登録された識別情報に、当該識別情報にて識別される利用者の身体的特徴を表す身体情報が関連付けられており、
予め登録された前記識別情報に基づいて当該識別情報を撮影可能なよう出力すると共に、当該識別情報に関連付けられた前記身体情報を表示出力し、
撮影可能なよう出力された前記識別情報と、当該識別情報にて識別される利用者に関連する場面と、が関連付けられた前記画像情報を撮影し、
前記画像情報に基づいて、前記関連付ける処理を行う、
情報処理方法。
【請求項８】
情報処理装置に、
利用者を識別する識別情報と、当該利用者に関連する場面と、が関連付けられて撮影された画像情報を取得し、当該画像情報に基づいて、予め登録された前記識別情報に、当該識別情報にて識別される利用者と同一の利用者に関連する前記場面を含む前記画像情報を関連付ける処理、
を実行させるためのプログラム。
【請求項９】
利用者を識別する識別情報と、当該利用者に関連する場面と、が関連付けられて撮影された画像情報を取得する取得部と、前記画像情報に基づいて、予め登録された前記識別情報に、当該識別情報にて識別される利用者と同一の利用者に関連する前記場面を含む前記画像情報を関連付ける処理を行う処理部と、を備えた、
情報処理装置。
【請求項１０】
予め登録された利用者を識別する識別情報に基づいて当該識別情報を撮影可能なよう出力する第一装置と、
撮影可能なよう出力された前記識別情報と、当該識別情報にて識別される利用者に関連する場面と、が関連付けられた画像情報を撮影する第二装置と、
前記画像情報に基づいて、予め登録された前記識別情報に、当該識別情報にて識別される利用者と同一の利用者に関連する前記場面を含む前記画像情報を関連付ける処理を行う第三装置と、
を備えた情報処理システム。
【国際調査報告】
2020149036.tif 000018
2020149036.tif 000019
2020149036.tif 000020
2020149036.tif 000021